(57)【要約】【課題】  簡素な構造で且つ装飾部材の交換を可能にし、更にデザインバリエーションの拡大が容易な装飾用バンドの構造を提供することにある。【解決手段】  基駒１０は、バンド短手方向に組み合わされる第１及び第２の駒部材１０Ａ，１０Ｂにより構成されている。第１及び第２の駒部材１０Ａ，１０Ｂの対向する内側面にそれぞれ切欠部１０ａが設けられており、さらに切欠部１０ａの内面に凹部１０ｂが設けられている。装飾部材１２は、凹部１０ｂ間に挟み込まれて保持される。第１及び第２の駒部材１０Ａ，１０Ｂの連結脚部１０ｃを連結駒１４の連結脚部１４ｃで挟持すると共に、それら連結脚部１０ｃ、１４ｃに設けられた貫通孔１０ｄ、１４ｄに連結ピン１６を挿通することにより、基駒１０と連結駒１４は連接される。【選択図】  図１
2005103175.tif 000002
【特許請求の範囲】
【請求項１】
基駒と連結駒とを連結ピンによって順次連接してなる装飾用バンドにおいて、
前記基駒はバンド短手方向に組み合わされる第１の駒部材と第２の駒部材とからなり、
前記第１の駒部材と第２の駒部材とが互いに対向するそれぞれの側面に装飾部材を収容、表出させるための切欠部を設け、該切欠部に前記装飾部材を保持するための凹部を設け、前記第１の駒部材と第２の駒部材の両端、及び前記連結駒の両端のバンド短手方向に貫通孔を有する連結脚部をそれぞれ設け、
該連結脚部の貫通孔に連結ピンを連通し、前記基駒と前記連結駒とを連接したことを特徴とする装飾用バンドの構造。
【請求項２】
前記第１の駒部材と第２の駒部材とからなる基駒の連結脚部が前記連結駒の連結脚部に挟持されていることを特徴とする請求項１記載の装飾用バンドの構造。
【請求項３】
前記装飾部材の端部を前記切欠部の凹部に挿入すると共に、前記装飾部材を前記第１の駒部材と第２の駒部材との間に挟持したことを特徴とする請求項１記載の装飾用バンドの構造。
【請求項４】
前記装飾部材は取付台に固定され、該取付台は外側に突出する突起部を有し、該突起部を前記切欠部の凹部に挿入すると共に、前記装飾部材を前記第１の駒部材と第２の駒部材との間に挟持したことを特徴とする請求項１記載の装飾用バンドの構造。
【発明の詳細な説明】
【技術分野】
【０００１】
本発明は、宝石等の装飾部材を収容して表出させることができる時計バンド、ブレスレット、ネックレス、ペンダント等の装飾用バンドの構造に関するものである。
【背景技術】
【０００２】
装飾部材を収容して表出するバンド構造としては、図８及び図９に示すものがあった。このバンド構造は、上下に組み合わせる一対の駒部材２，４と、その間に収容される装飾部材６とを備えている。駒部材２，４には、それぞれ両端に貫通孔２ａ，２ｂ，４ａ，４ｂを有する連結脚２ｃ，２ｄ，４ｃ，４ｄが設けられている。また、駒部材２，４の装飾部材６を収容する本体部分には、装飾部材６を表出する窓部２ｅ，４ｅが設けられている。この駒部材２，４は、その間に装飾部材６を挟むように上下に組み付けられ、隣接する駒と共にその連結脚２ｃ，４ｃの貫通孔２ａ，４ａに連結ピン８を挿通することにより装飾部材６を挟持すると共に連結されていた（例えば、特許文献１参照）。
【０００３】
しかしながら、上記バンド構造においては、装飾部材６の形状に合わせて駒部材２，４を形成することが必要であり、駒部材２，４の構造が複雑になり、コストが高くなるという問題があった。
【０００４】
また、装飾部材６だけを形状の異なる他の装飾部材に交換することはできず、デザインが限定されるという問題もあった。
【特許文献１】実開平７−４４２７１号公報
【発明の開示】
【発明が解決しようとする課題】
【０００５】
本発明が解決しようとする課題は、装飾部材の形状にとらわれず、簡素な構造で且つ装飾部材の交換を可能にし、更にデザインバリエーションの拡大が容易な装飾用バンドの構造を提供することにある。
【課題を解決するための手段】
【０００６】
本発明の装飾用バンドの構造は、基駒と連結駒とを連結ピンによって順次連接してなる時計用バンドにおけるものである。前記基駒は、バンド短手方向に組み合わされる第１の駒部材と第２の駒部材とからなる。前記第１の駒部材と第２の駒部材は、それらが互いに対向するそれぞれの側面に装飾部材を収容、表出させるための切欠部を有し、該切欠部の内面に前記装飾部材を保持するための凹部を有し、前記第１の駒部材と第２の駒部材の各両端のバンド短手方向に貫通孔が設けられた連結脚部をそれぞれ有している。また、連結駒もその両端のバンド短手方向に貫通孔が設けられた連結脚部を有している。この第１及び第２の駒部材と連結駒は、それらの連結脚部の貫通孔に連結ピンを連通することにより連接されている。また、前記第１の駒部材と第２の駒部材とからなる基駒の連結脚部は、前記連結駒の連結脚部に挟持されている。また、前記装飾部材の端部は、前記切欠部の凹部に挿入され、前記装飾部材が前記第１の駒部材と第２の駒部材との間に挟持される。また、前記装飾部材は取付台に固定され、該取付台は外側に突出する突起部を有し、該突起部を前記切欠部の凹部に挿入し、前記装飾部材が前記第１の駒部材と第２の駒部材との間に挟持される。
【発明の効果】
【０００７】
本発明の装飾用バンドの構造においては、第１及び第２の駒部材にそれぞれ簡単な形状からなる切欠部と凹部を形成し、バンド短手方向に組み合わせるだけで基駒を構成してい
るので、その構造が簡素であり、製造し易く、コストを低減することができる。
【０００８】
また、本発明においては、装飾部材を第１及び第２の駒部材の凹部間に挟み込むことにより保持しているので、第１及び第２の駒部材の形状、構成を変更することなく各種形状の装飾部材を取り付けることができる。これにより、装飾部材を交換することが可能になり、デザインバリエーションを拡大することができる。
【０００９】
また、本発明においては、装飾部材の側面の一部を第１及び第２の凹部間に挟み込むことで保持しているので、装飾部材の大部分が切欠部から表出することになる。これにより、上下方向から切欠部に入る外光によって装飾部材の多くの表面が照らされることになり、装飾部材として宝石等を使用した場合、その輝きが増して装飾性をより高めることができる。
【００１０】
また、本発明における装飾部材は、第１及び第２の駒部材の凹部間に挟まれるだけで保持されているので、その脱着が容易であり、簡単に交換することができる。
【発明を実施するための最良の形態】
【００１１】
本発明の装飾用バンドの構造は、基駒と連結駒とを連結ピンで連接するものであり、基駒に装飾部材を取り付けている。この基駒は、バンド短手方向に組み合わされる第１及び第２の駒部材により構成されている。この第１及び第２の駒部材の対向する内側面にそれぞれ切欠部が設けられており、さらに切欠部の内面に凹部が設けられている。装飾部材は、第１及び第２の駒部材を組み合わせたときに、凹部間に挟み込まれて保持される。また、第１及び第２の駒部材と連結駒には、そのバンド長手方向端に連結脚部が設けられている。この第１及び第２の駒部材の連結脚部を連結駒の連結脚部で挟持すると共に、それら連結脚部に設けられた貫通孔に連結ピンを挿通して連接する。
【００１２】
この装飾用バンドの構造における基駒を構成する第１及び第２の駒部材は、切欠部と凹部を有する極めて簡素で形成し易い構造となっている。また、装飾部材は、その第１及び第２の駒部材の凹部間に一部分が挟み込まれることで保持されており、挟み込むことが可能な装飾部材であれば、どのようなものでも取付可能であるとともに、交換可能である。
【実施例１】
【００１３】
図１（ａ）は本発明の実施例１に係る装飾用バンドの構造を示す平面図、図１（ｂ）はその側面図、図２は図１（ｂ）におけるＡ−Ａ断面を示す部分拡大断面図、図３は図１（ａ）におけるＢ−Ｂ断面を示す部分拡大断面図、図４は分解平面図である。
【００１４】
１０はその略中央に装飾部材１２を備えた基駒、１４はこの基駒１０に連結ピン１６により連接される連結駒である。
【００１５】
基駒１０は、バンド短手方向に組み合わされる第１の駒部材１０Ａと第２の駒部材１０Ｂとから構成されている。この第１及び第２の駒部材１０Ａ，１０Ｂは、その対向する内面の略中央に同一凹形状の切欠部１０ａをそれぞれ有している。この切欠部１０ａは、バンド短手方向に対して凹状をなすと共に、バンド表裏方向に抜けるように形成されている。この切欠部１０ａの内側面には、凹部１０ｂが設けられている。本実施例における凹部１０ｂは、バンド長手方向及びバンド表裏方向に関して略中央に位置するように切欠部１０ａ内に形成されている。また、本実施例における凹部１０ｂの平面形状は略弓形をなすように形成されている。また、第１及び第２の駒部材１０Ａ，１０Ｂのバンド長手方向の両端には、隣接する連結駒１４に連接するための連結脚部１０ｃがそれぞれ設けられている。本実施例における連結脚部１０ｃは、デザイン等の関係から、バンド短手方向に関して中央に絞り込んだように幅が狭く形成されている。また、この連結脚部１０ｃには、第
１及び第２の駒部材１０Ａ，１０Ｂを組み合わせたときに、バンド短手方向に連通する貫通孔１０ｄがそれぞれ設けられている。尚、本実施例における上記第１及び第２の駒部材１０Ａ，１０Ｂは同一形状をなすものであり、切欠部１０ａ及び凹部１０ｂが向き合うように位置付けて使用している。
【００１６】
装飾部材１２は、第１及び第２の駒部材１０Ａ，１０Ｂを組み合わせるときに、その凹部１０ｂ間に挟み込まれて保持され、切欠部１０ａから表出するものである。本実施例における装飾部材１２は、宝石、貴石、貴金属、ガラス等、凹部１０ｂ間に挟み込むことが可能なものであればどのようなものであっても良い。
【００１７】
連結駒１４は、バンド長手方向の両端に隣接する基駒１０に連接するための連結脚部１４ｃを有している。この連結脚部１４ｃは、第１及び第２の駒部材１０Ａ，１０Ｂの連結脚部１０ｃをバンド短手方向から挟み込むことができるように、平面形状が略コの字形をなすように形成されている。この連結脚部１４ｃにも、バンド短手方向に形成された貫通孔１４ｄが設けられており、第１及び第２の駒部材１０Ａ，１０Ｂの連結脚部１０ｃを挟持するように連結脚部１４ｃを位置付けると、貫通孔１０ｄに連通するものとなっている。
【００１８】
上記構成からなる駒構造において、第１及び第２の駒部材１０Ａ，１０Ｂは、その切欠部１０ａが対向するようにバンド短手方向に組み合わされる。このときに、装飾部材１２は、その外側部の一部が凹部１０ｂに嵌り込み、凹部１０ｂ間に挟み込まれて保持される。この状態のときに、装飾部材１２はその一部のみが凹部１０ｂ内に隠れるだけで、大部分が切欠部１０ａから表出し、更に第１及び第２の駒部材１０Ａ，１０Ｂの対向する内側面とそれぞれの連結脚部１０ｃは当接した状態になる。ここで、連結駒１４の連結脚部１４ｃで、第１及び第２の駒部材１０Ａ，１０Ｂの連結脚部１０ｃを挟み込む。このときに、連結脚部１０ｃ，１４ｃの貫通孔１０ｄ，１４ｄが連通し、ここに連結ピン１６を挿通し且つ抜脱しない状態に取り付ける。これにより、基駒１０と連結駒１４は連接され、また、第１及び第２の駒部材１０Ａ，１０Ｂは組み合わされた状態に保持され、更に装飾部材１２は凹部１０ｂの間に挟み込まれて保持される。
【００１９】
このように、基駒１０を構成する第１及び第２の駒部材１０Ａ，１０Ｂは切欠部１０ａと凹部１０ｂを有する簡素な構造からなり、また装飾部材１２はその一部が第１及び第２の駒部材１０Ａ，１０Ｂによりバンド短手方向から挟持されることにより着脱可能に保持されている。また、このように組み付けられたバンド構造においては、切欠部１０ａがバンド表裏方向に開口しており、また装飾部材１４の保持に関係しない切欠部１０ａのバンド長手方向の寸法を装飾部材１２のバンド長手方向の寸法より大きく設定している。このため、装飾部材１２が表出する面積が多く、装飾部材１２に導入される外光も非常に多くなり、装飾部材１２としてダイヤ、ジルコニア等の輝石を使用した場合には、その輝きが増すことになる。
【実施例２】
【００２０】
図５（ａ）は本発明の実施例２に係る装飾用バンドの構造を示す平面図、図５（ｂ）はその側面図、図６は図５（ｂ）におけるＣ−Ｃ断面を示す部分拡大断面図、図７は図５（ａ）におけるＤ−Ｄ断面を示す部分拡大断面図である。この実施例２における基駒２０及び連結駒２４の構成、組み付け及び連接に関しては、前述した実施例１と同様であるため、ここでは簡単に説明する。基駒２０は、バンド短手方向に組み合わされる第１及び第２の駒部材２０Ａ，２０Ｂからなり、この第１及び第２の駒部材２０Ａ，２０Ｂにはその対向する内面に切欠部２０ａがそれぞれ設けられ、この切欠部２０ａの内側面に凹部２０ｂが設けられている。この第１及び第２の駒部材２０Ａ，２０Ｂのバンド長手方向端にある連結脚部２０ｃをバンド短手方向から挟み込むように連結駒２４の連結脚部２４ｃを組み
付け、連通する貫通孔２０ｃ、２４ｃに連結ピン２６を挿通して連接する。
【００２１】
この実施例２の特徴は、装飾部材２２の取り付けに取付台２８を使用していることである。この取付台２８は、略管状をなすもので、その中央に装飾部材２２を収める孔２８ａを有し、本実施例においては上部内側に装飾部材２２に当接して位置決めする傾斜面からなる位置決め部２８ｂを有し、更に上端に装飾部材２２に被さるように屈曲されて装飾部材２２を固定する爪状の掛止部２８ｃを４つ有している。また、この取付台２８は、外側面より突出する突起部２８ｄを相対する位置に一対有している。この突起部２８ｄは、本実施例においては平面形状が矩形をなす板状部からなり、取付台２８の高さ方向における中央付近より外方に突出するものとなっている。尚、実施例２における第１及び第２の駒部材２０Ａ，２０Ｂの凹部２０ｂの平面形状は、取付台２８の突起部２８ｄの形状に合うように矩形をなすように設定されている。
【００２２】
装飾部材２２は、上記構成からなる取付台２８に取り付けられた後、前述した実施例１と同様に第１及び第２の駒部材２０Ａ，２０Ｂの凹部２０ｂ間に挟み込まれて保持される。即ち、装飾部材２２を取付台２８の孔２８ａ内に収め、その底部を位置決め部２８ｂに当接させると共に掛止部２８ｃを内方にかしめて固定する。その後、取付台２８の突起部２８ｄを第１及び第２の駒部材２０Ａ，２０Ｂの凹部２０ｂに嵌め込むようにして凹部２０ｂ間に取付台２８を挟み込む。ここで、第１及び第２の駒部材２０Ａ，２０Ｂの連結脚部２０ｃを連結駒２４の連結脚部２４ｃで挟み、連結ピン２６を貫通孔２４ｄ、２０ｄに挿通して連接する。
【００２３】
上記のように取付台２８を使用すると、第１及び第２の駒部材２０Ａ，２０Ｂの凹部２０ｂ間に挟み込むことが難しい形状や大きさの装飾部材（例えば、球体、薄板、粒状のもの）や破損し易い装飾部材（例えば、ガラス）であっても、先に取付台２８に固定することにより、実施例１と同様に第１及び第２の駒部材２０Ａ，２０Ｂの間に挟むだけで簡単に保持することができるようになる。
【００２４】
また、取付台２８に装飾部材２２を取り付けることにより、装飾部材２２の外周部分が取付台２８により囲まれてしまうが、取付台２８の孔２８ａがバンド表裏方向に開口しているので、光を十分導入することが可能となっている。
【産業上の利用可能性】
【００２５】
本発明の装飾用バンドの構造は、時計本体に取り付けて使用する時計バンド、ブレスレット、ネックレス、ペンダント等に用いられる構造である。尚、時計バンドやブレスレット等の全ての駒に関して本発明のバンド構造を用いても良いし、また、一部の駒のみに本発明のバンド構造を用いることもできる。また、第１及び第２の駒部材１０Ａ，１０Ｂ，２０Ａ，２０Ｂは、形状が簡素であるため、金属のムク材に切削加工を施すことにより形成することができると共に、金属材の射出成形等にて形成することも可能である。
【図面の簡単な説明】
【００２６】
【図１】（ａ）は本発明の実施例１に係る装飾用バンドの構造を示す平面図、（ｂ）はその側面図である。
【図２】図１（ｂ）におけるＡ−Ａ断面を示す部分拡大断面図である。
【図３】図１（ａ）におけるＢ−Ｂ断面を示す部分拡大断面図である。
【図４】図１に示すバンド構造の分解平面図である。
【図５】（ａ）は本発明の実施例２に係る装飾用バンドの構造を示す平面図、（ｂ）はその側面図である。
【図６】図５（ｂ）におけるＣ−Ｃ断面を示す部分拡大断面図である。
【図７】図５（ａ）におけるＤ−Ｄ断面を示す部分拡大断面図である。
【図８】従来のバンド構造を示す分解斜視図である。
【図９】図８に示すバンド構造の組立時の状態を示す斜視図である。
【符号の説明】
【００２７】
２，４            駒部材
２ａ，２ｂ        貫通孔
２ｃ、２ｄ        連結脚
４ａ，４ｂ        貫通孔
４ｃ，４ｄ        連結脚
６                装飾部材
８                連結ピン
１０，２０        基駒
１０Ａ，２０Ａ    第１の駒部材
１０Ｂ，２０Ｂ    第２の駒部材
１０ａ，２０ａ    切欠部
１０ｂ，２０ｂ    凹部
１０ｃ，２０ｃ    連結脚部
１０ｄ，２０ｄ    貫通孔
１２，２２        装飾部材
１４，２４        連結駒
１４ｃ，２４ｃ    連結脚部
１４ｄ，２４ｄ    貫通孔
１６，２６        連結ピン
２８              取付台
２８ａ            孔
２８ｂ            位置決め部
２８ｃ            掛止部
２８ｄ            突起部
【図１】
2005103175.tif 000003
【図２】
2005103175.tif 000004
【図３】
2005103175.tif 000005
【図４】
2005103175.tif 000006
【図５】
2005103175.tif 000007
【図６】
2005103175.tif 000008
【図７】
2005103175.tif 000009
【図８】
2005103175.tif 000010
【図９】
2005103175.tif 000011